(57)【要約】【課題】暗所であっても色が確認でき、色の違いによる用途別の識別を可能としたリストバンドを提供することを課題とする。【解決手段】中央部に表示領域４を形成し、この中央部から両端に延伸した領域に、係止孔１０を形成したリストバンド２であって、少なくとも前記表示領域４を除く領域に、蛍光部１４を有する。【選択図】　　　図１
2004141420.tif 000002
【特許請求の範囲】
【請求項１】
中央部に表示領域を形成し、この中央部から両端に延伸した領域に、係止孔を形成したリストバンドであって、
少なくとも前記表示領域を除く領域に、蛍光部を有することを特徴とするリストバンド。
【請求項２】
前記蛍光部は、蛍光塗料を塗布して成ることを特徴とする請求項１に記載のリストバンド。
【請求項３】
前記蛍光部は、表示領域の周囲に蛍光材を埋め込んでいることを特徴とする請求項１に記載のリストバンド。
【請求項４】
前記蛍光部は、ブラックライトの照射により発光することを特徴とする請求項１ないし３に記載のリストバンド。
【発明の詳細な説明】
【０００１】
【発明の属する技術分野】
本発明は、特に、災害時に緊急治療患者などの手首や足首に取付けて好適なリストバンドに関する。
【０００２】
【従来の技術】
従来、病院などでは、患者の名前や血液型、患者ＩＤを示すバーコードなどの所定の情報をリストバンドに印字し、これを患者の手首または足首などに取付けることにより、患者を管理、識別することが行われている。
【０００３】
一般にこの種のリストバンドは、バンド本体に形成された表示領域に前記所定の情報をプリンタにて印字し、この所定の情報が印字されたリストバンドを患者の手首等に巻きつけて、テープや止め具で固定するという構成を採っている。
【０００４】
また、輸血ミスなどを防止するため、表示領域以外をカラー印字によって彩りし、例えば、赤色は血液型のＡ型、緑色はＯ型というように色を変えることにより、異なった情報を医師や看護士に認識させるようなことも行われている（例えば、特許文献１参照）。
【０００５】
しかしながら、このようなリストバンドは、昼間の病院などのように明るい環境において使用する場合は前記血液型別の彩り（色）も確認可能であるが、例えば、消灯後の病室における点滴の確認や、あるいは、災害時などにおいて一帯が停電しており、野外の仮設テントでの治療活動を余儀なくされているような場合、折角リストバンドを患者に取り付けて、色別による血液型などの情報を認識させようとしても、暗くて見えにくいという問題点があった。
【０００６】
【特許文献１】特開平２００１−１３７０１７号　公報
【０００７】
【発明が解決しようとする課題】
本発明は、上記のような問題点に着目してなされたものであって、暗所であっても色が確認でき、色の違いによる用途別の識別を可能としたリストバンドを提供することを課題とする。
【０００８】
【課題を解決するための手段】
上記課題を達成するため、本発明に係るリストバンドは、中央部に表示領域を形成し、この中央部から両端に延伸した領域に、係止孔を形成したリストバンドであって、少なくとも上記表示領域を除く領域に、蛍光部を有することを特徴とする。
また、上記蛍光部は、蛍光塗料を塗布するようにできる。
また、上記蛍光部は、表示領域の周辺に蛍光材を埋め込むようにできる。
さらに、上記蛍光部は、ブラックライトの照射により発光するようにできる。
【０００９】
【発明の実施の形態】
以下、図１ないし図３を参照して、本発明に係るリストバンドの好適な一実施の形態について説明する。
【００１０】
図１は、リストバンドの平面図であり、図２は、図１中、矢示ＩＩ−ＩＩ線に沿う断面図である。
【００１１】
主に、図１に示すように、リストバンド２は、幅広に形成された表示領域４と、この表示領域４の左側に延びるバンド部６と、右側に延びるバンド止め部８とで構成され、各コーナー部分はすべて円弧状に形成される。
【００１２】
表示領域４は、後述する所定の情報をボールペンやフェルトペンでの書き込みが可能なよう、合成紙などで作成されている。また、表示領域４の表面には、予め患者名、所見、担当、血液型など、前記書き込むべき所定の情報を示す項目名９が印刷されている。
【００１３】
バンド部６は、バンド止め部８と同じ幅で形成されており、幅方向の中央部に５つのバンド孔１０、１０…が一定の間隔をもって形成されている。
バンド止め部８は、バンド部６よりも短く形成されており、その先端近傍にセット孔１２が１つ形成されている。
【００１４】
そして、前記表示領域４を除くバンド部６およびバンド止め部８の部分は、蛍光部１４（図１の斜線部分）であり、用途別に色の異なる蛍光塗料が施されている。
例えば、ブルーの蛍光塗料（図示省略）が施された蛍光部１４を備えたリストバンド２は、災害時の軽傷者用に使用し、また、蛍光部１４が橙色の場合は、重傷者用に使用するなど、用途に応じた色が予め設定されている。
また、バンド部６側の一部には、用途説明２２（図１の例では、「重傷者用」の文字）が印刷されている。
【００１５】
主に、図２で示すように、リストバンド２は三層で構成され、表面を構成する表面基材１６と裏面基材２０との間に中間基材１８が配されている。更に、表示領域４を除く表面基材１６の部分は、蛍光塗料が施された前記蛍光部１４の層となっている。そして、表示領域４部分の表面に書き込みが行われ、かつ、表示領域４を除く部分に蛍光塗料が施されることから、表面基材１６は、ボールペンやフェルトペンでの書き込みや蛍光塗料の塗布に適正な素材、たとえば合成紙やポリエチレンテレフタレート、ポリプロピレン、ポリエチレンなどで成形され、ボールペン、フェルトペンなどのインクや蛍光塗料の乗りがよく、擦過などを受けてもインクの消色、脱落が生じないようにされている。
【００１６】
中間基材１８は、いわゆるコシを与える役割を果たすもので、所定の強度を有する素材、たとえばポリエチレンテレフタレートで成形されており、これによりリストバンド２にコシが与えられる。
【００１７】
裏面基材２０は、直接肌に触れるものであるため、安全で皮膚への刺激性のない柔軟な素材、たとえばポリエチレンで成形されている。
【００１８】
次に、図３を用いて、このリストバンド２の使用例を説明する。
負傷者に対し、医師あるいは看護士が簡単な診察を行い、重傷の場合には用途説明２２を確認の上、重傷者用のリストバンド２を選択し、患者名２４（図３の例では、「サトウ　タロウ」）、医師や看護士の所見２６（同図では、「上腕部骨折」）、診断を行った医師あるいは看護士名２８（同図では「田中」）および血液型３０（同図では、「Ａ」）などの所定の情報を表示領域４にフェルトペンなどにより記入し、セット孔１２および取り付ける患者の手首の太さに見合うバンド孔１０を選択し既知の止め具（図示省略）にて患者の手首や足首などに取付ける。
【００１９】
リストバンド２には、蛍光塗料が施された蛍光部１４が形成されているため、例えば、災害時で一帯が停電しているような薄暗い救急テントの周りに待機しているような患者に使用した場合であっても、蛍光部１４の色が視認可能であり、また、色の違いにより緊急の処置が必要な重傷の患者か、それとも軽傷の患者かが一目で認識できる。
【００２０】
なお、本実施の形態においては、説明の都合上、災害時の暗所において重傷あるいは軽傷の用途の識別のために蛍光部１４に異なる色を用いた例で説明したがこれに限定されないことは勿論であり、消灯後の病室における要注意患者自身に取付けたり、または、点滴中の患者のベッドなどに表示することにより、病室全体を点灯しなくとも目的の患者が分かり易く、用途別の認識が可能となるものである。
【００２１】
図４ないし図５には、他の実施の形態に係るリストバンドを示す。
なお、先の実施の形態と同様の部分には同一の符号を付すに止め、詳説を省略する。
【００２２】
図４は、本実施の形態のリストバンドを示す平面図であり、同図に示すように、リストバンド３２は、帯状に形成されたバンド基材３４にミシン目３６で型抜きされて形成されており、このミシン目３６に沿ってバンド基材３４から抜き取って使用する。ミシン目３６を利用することにより、カッター等を用いなくても、手で簡単に抜き取ることができる。
また、バンド基材３４は、長手方向に沿って連続的に連接・形成されており、各バンド基材３４の境界線には図示省略のミシン目が形成されている。長手方向に連続的に連接されることにより、リストバンド３２を擁したバンド基材３４は、ロール状などの形でコンパクトに保管でき、かつ、ミシン目（図示省略）より切り離すことにより単体のバンド基材３４として切り取り可能なものである。
【００２３】
リストバンド３２は、幅広に形成された表示領域４と、バンド部６と、バンド止め部８とで構成され、各コーナー部分はすべて円弧状に形成される。
【００２４】
リストバンド３２から外れたバンド基材３４の一部に、リストバンド３２の用途説明２２が印刷されている。
【００２５】
また、表示領域４の周囲を囲むように、蛍光部３８（図４の斜線部分）が形成されている。
図５は、図４中、矢示Ｖ−Ｖ線に沿う断面図であり、主に、同図に示すように、ミシン目３６によりリストバンド３２が型抜き・形成されたバンド基材３４は、表面基材１６、中間基材１８および裏面基材２０が順次積層された三層で構成されており、蛍光部３８は表示領域４（図４）の周囲の表面基材１６を任意の幅および深さ削り取った溝に蛍光材（図示省略）を埋め、接着剤などにより前記蛍光材を接着して形成している。この蛍光材は、例えば、耐候性のあるアクリル系不飽和ポリエステルを使用する。
【００２６】
次に、こうした構成のリストバンド３２の使用状態を説明する。
負傷者に対し、医師あるいは看護士が簡単な診察を行い、重傷の場合には用途説明２２を確認の上、ミシン目（図示せず）から切り離して重傷者用の単葉のバンド基材３４を切り離す。
【００２７】
選択したバンド基材３４の表示領域４に、患者名、診断を行った医師や看護士の所見などの所定の情報をボールペンやフェルトペンなどにより記入する。
【００２８】
バンド基材３４のミシン目３６に沿ってリストバンド３２を抜き取り、セット孔１２および取り付ける患者の手首の太さに見合うバンド孔１０を選択し、既知の止め具（図示省略）にて患者の手首などに取付ける。
リストバンド３２には、表示領域４の周囲に、蛍光材（図示省略）を埋め込んだ蛍光部３８が形成されており、この蛍光部３８の色で緊急の処置が必要な重傷の患者か、それとも軽傷の患者かが一目で分かるとともに、蛍光材を埋め込んだ蛍光部３８とすることにより、先の実施の形態の、表面基材１６の表面に蛍光塗料を塗布した蛍光部１４に比べ、擦過などの影響を受けにくいため、災害時などの長期にわたる使用にも色による識別が長く可能となる。
その他の構成、作用、効果は、先の実施の形態とほぼ同様につき、詳説を省略する。
【００２９】
なお、前記蛍光部１４、３８は、災害時の月明かりや薄暗い明かりの中での色による識別が可能となる例で説明したが、これに限定されないことは勿論であり、蛍光部１４、３８に対し、例えばブラックライトを照射すると鮮やかに色が浮き上がるため、色による識別作業がより確かになる。
【００３０】
【発明の効果】
この発明に係るリストバンドは、以上説明したように、表示領域を除く領域に、蛍光塗料で形成された蛍光部を有するようにしたので、暗所であっても色が視認でき、かつ、色の違いによる用途別の識別が可能であるという効果がある。
【図面の簡単な説明】
【図１】本発明の第１の実施の形態に係るリストバンドの平面図である。
【図２】同、図１中、矢示ＩＩ−ＩＩ線に沿う概略断面図である。
【図３】同、リストバンドに所定の情報を書き込んだ例を示す図１相当の平面図である。
【図４】本発明の第２の実施の形態に係るリストバンドを擁したバンド基材の平面図である。
【図５】同、図４中、矢示Ｖ−Ｖ線に沿う概略断面図である。
【符号の説明】
２　リストバンド（第１の実施の形態）
４　表示領域
６　バンド部
８　バンド止め部
９　項目名
１０　バンド穴
１２　セット穴
１４　蛍光部
１６　表面基材
１８　裏面基材
２０　中間基材
２２　用途説明
２４　患者名
２６　所見（診断）内容
２８　診断医または看護士の名前
３０　血液型
３２　リストバンド（第２の実施の形態）
３４　バンド基材
３６　ミシン目
３８　蛍光部
【図１】
2004141420.tif 000003
【図２】
2004141420.tif 000004
【図３】
2004141420.tif 000005
【図４】
2004141420.tif 000006
【図５】
2004141420.tif 000007